(57)【要約】【課題】  製造コストの低い目地材でありながら、施工が容易で、しかも意匠性、止水性の高い目地部を形成することのできる目地材を提供する。【解決手段】  目地材１がハットジョイナー１０と目地カバー２０とからなり、ハットジョイナー１０は、建物躯体側に固定される基板１１と、基板１１から表面側に突出する凸部１２とからなる。目地カバー２０は、施工時に凸部１２の頂面１２ｃを覆う目地溝部２１と、その下端から下方に延びていて施工時には外壁板３０Ｂ表面に衝接される下縁部２３とを備え、下縁部２３の裏面には弾性止水材２６が貼着されている。【選択図】図２
2006125091.tif 000002
【特許請求の範囲】
【請求項１】
表面側から固定具を打ち込むことにより外壁板を建物躯体側に留め付ける外壁施工において、上下に隣接する外壁板の間に固定される目地材であって、
施工時に下側の外壁板の表面における上端近傍に衝接される下縁部と、該下縁部の上端から上方かつ裏面側に延びる目地溝部とを少なくとも備えていることを特徴とする目地材。
【請求項２】
前記下縁部の裏面に弾性止水材が貼着されていることを特徴とする請求項１記載の目地材。
【請求項３】
前記目地材がハットジョイナーと目地カバーとからなっていて、
前記ハットジョイナーは、建物躯体側への固定面となる基板と、該基板から表面側に突出していて施工時には上下の外壁板の端部の間に挟まれる凸部とからなり、
前記目地カバーが、前記目地溝部および下縁部を少なくとも備えており、前記目地溝部は、前記目地材および上下の外壁板を留め付けた状態において、前記ハットジョイナー凸部の頂面および下側の外壁板の上端面を少なくとも覆うことのできる形状とされていることを特徴とする請求項１または２記載の目地材。
【請求項４】
前記目地カバーの目地溝部は、前記目地材および上下の外壁板を留め付けた状態において、前記目地溝部の一部が前記ハットジョイナー凸部の頂面に衝接するような寸法とされていることを特徴とする請求項３記載の目地材。
【請求項５】
前記目地カバーの目地溝部は、前記目地材および上下の外壁板を留め付けた状態において、上側の外壁板の下端面をも覆うことのできる形状とされており、
前記目地カバーがさらに、前記目地溝部の上端から上方に延びていて施工時には上側の外壁板の表面に衝接される上縁部を備え、該上縁部の裏面に弾性止水材が貼着されていることを特徴とする請求項３または４記載の目地材。
【請求項６】
前記目地カバーの目地溝部は、前記目地材および上下の外壁板を留め付けた状態において、前記ハットジョイナー凸部の頂面および下側の外壁板の上端面のみを覆う形状とされており、
前記目地カバーがさらに、前記目地溝部の上端から裏面側に延びる突出部であって、施工時には前記ハットジョイナー凸部の上側の側面に重ねられる突出部を備えることを特徴とする請求項３または４記載の目地材。
【請求項７】
前記ハットジョイナーおよび目地カバーはそれぞれ一枚の鋼板の板金加工により形成されていることを特徴とする請求項３から６のいずれかに記載の目地材。
【請求項８】
前記目地溝部の一部が建物躯体側への固定面となっていることを特徴とする請求項１または２記載の目地材。
【請求項９】
一枚の鋼板の板金加工により形成されていることを特徴とする請求項８記載の目地材。
【発明の詳細な説明】
【技術分野】
【０００１】
本発明は、建物外壁部分に外壁板を留め付ける際に、上下に隣接する外壁板の間に固定される目地材に関する。
【背景技術】
【０００２】
建物外壁の意匠性を高めるために、天然石調・レンガ調等の表面柄が施された、窯業系等の外壁板を建物外壁部分に留め付けることが行われている。外壁板の留め付け方としては、外壁板の長手方向を横方向（水平方向）として躯体側に張り付けていく横張り工法と、長手方向を縦方向（上下方向）として躯体側に張り付けていく縦張り工法とがある。縦張り工法に用いられる外壁板は、通常、上下の端面が平坦面とされ、左右の端部には実部が形成されている。左右に隣接する外壁板同士の接合にあたっては、実部を利用した合決接合が行われ、一方、上下に隣接する外壁板同士の接合にあたっては、外壁板端部の間に適宜の部材が介在させられる。
【０００３】
図７は、上記縦張り工法によって留め付けられた外壁板の上下接合部の一例を示す断面図である。この例では、上下に隣接する外壁板３０Ａ，３０Ｂの間にハットジョイナー４０の凸部４２を挟んだ状態で、釘９５を用いて外壁板３０Ａ，３０Ｂを横胴縁９１に留め付け、ハットジョイナー４０の上からシーリング材９７を充填している。横胴縁９１は、防水紙９３を介して柱または間柱（図示せず）に固定されている。ハットジョイナー４０は、横胴縁９１への固定面となる基板４１と、基板４１の表面側に突出する凸部４２とからなり、このハットジョイナー４０を使用することにより、上下の外壁板３０Ａ，３０Ｂの間に所望の間隔が空けられる。
【０００４】
図８ａは、上下接合部の他の施工例を示している。この施工例では、中間水切５０を間に挟んで上下の外壁板３０Ａ，３０Ｂを留め付けている。中間水切５０は、横胴縁９１への固定面となる基板５１と、基板５１の下端に形成された段部５２と、段部５２の下端から表面側に延びる水切部５３とからなる。図に示すように、中間水切５０の段部５２に上側の外壁板３０Ａの下端を載置し、水切部５３が上下の外壁板３０Ａ，３０Ｂの間から表面側に突出するようにして、外壁板３０Ａ，３０Ｂの表面から釘９５を打ち付けて横胴縁９１に固定している。
【０００５】
なお、上記中間水切５０に近い例として、段部５２をなくした形状の中間水切も多く使用されている。
【０００６】
図８ｂは、上下接合部のさらに他の施工例を示している（特許文献１参照）。図７および図８ａでは釘９５を用いて外壁板３０Ａ，３０Ｂを留め付けていたが、図８ｂに示す施工例では、上下の外壁板３０Ａ，３０Ｂの間に固定される中間水切６０が外壁板３０Ａ，３０Ｂの上下端部を保持するとともに、図示しない留め付け金具が外壁板３０Ａ，３０Ｂの左右の実部を係止することにより、外壁板３０Ａ，３０Ｂを構造躯体側に固定している。中間水切６０は、横胴縁９１への固定面となる基板６１と、基板６１から表面側に延びる受け板６２および水切板６４と、これら受け板６２および水切板６４の先端からそれぞれ上方および下方に延びる２つの前面板６３，６５とを備えている。図に示すように、受け板６２と前面板６３とで上側の外壁板３０Ａの下端部をカバーすると共に保持している。また、水切板６４と前面板６５とで下側の外壁板３０Ｂの上端部をカバーしている。
【特許文献１】特開２０００−１６０８０４号公報
【発明の開示】
【発明が解決しようとする課題】
【０００７】
図７に示した施工構造では、シーリング材９７の耐久性に問題があり、雨水がシーリング材９７に浸潤して、シーリング材９７の剥離現象を招く恐れがあった。また、上下の外壁板３０Ａ，３０Ｂの間にシーリング材９７が充填されるため、深さのある目地溝を形成することができず、目地部の意匠性にやや問題があった。
【０００８】
図８ａに示した施工構造では、上下の外壁板３０Ａ，３０Ｂの端部間の間隔、すなわち目地幅が所望の一定幅になるように外壁板３０Ａ，３０Ｂの位置を調節する必要があり、施工に手間がかかっていた。また、中間水切５０の水切部５３が下側の外壁板３０Ｂの上端部前面をカバーしており、水平方向に一直線状の整った形状の目地溝とはされず、水切部５３によって上下の外壁板３０Ａ，３０Ｂの表面柄が分断されてしまう外観となっていた。
【０００９】
図８ｂに示した施工構造では、中間水切６０の形状が複雑であり、また、上側の外壁板３０Ａの重量を支持するために中間水切６０をアルミ成形品などとする必要があり、製造コストが高くついていた。さらに、外壁板３０Ａの下端部近傍を安定して保持するために、上側の前面板６３は比較的大きな幅を有している必要があり、それに伴って下側の前面板６５の幅も外壁板３０Ｂの上端部前面に大きく露出することとなり、上下の外壁板３０Ａ，３０Ｂの表面柄がはっきりと分断されてしまう外観となっていた。
【００１０】
本発明は上記のような問題に鑑みてなされたものであり、製造コストの低い目地材でありながら、施工が容易で、しかも意匠性、止水性の高い目地部を形成することのできる目地材を提供することを目的とする。
【課題を解決するための手段】
【００１１】
上記の課題を解決するための本発明による目地材は、表面側から固定具を打ち込むことにより外壁板を建物躯体側に留め付ける外壁施工において、上下に隣接する外壁板の間に固定される目地材であって、施工時に下側の外壁板の表面における上端近傍に衝接される下縁部と、該下縁部の上端から上方かつ裏面側に延びる目地溝部とを少なくとも備えている。
【００１２】
本発明による目地材を用いた外壁施工構造において、目地材の下縁部は外壁板の前面に露出することになるが、この下縁部は、図８ａに示した水切部５３とは異なり、外壁板表面に衝接されるので、小さな幅であっても十分に雨水の浸入を防ぐことができる。従って、目地材の下縁部が露出するとはいえ、その幅は非常に小さく、目立たない。また、本発明による目地材は、目地溝部によって、深さのある目地溝を形成することができるため、意匠性の高い目地部とすることができる。加えて、上下外壁板の接合部に雨水が浸入するのも防ぐことができる。さらに、本発明による目地材は単純な形状とすることができるため、製造が容易であり、しかも、図８ｂに示した中間水切６０と違って外壁板の重量を支持する必要はないので、低コストの材料を使用することができる。
【００１３】
好ましくは、前記下縁部の裏面に弾性止水材を貼着すれば、下縁部の外壁板表面への密着度を高めることができ、より確実に雨水の浸入を防ぐことができる。
【００１４】
好ましい態様において、前記目地材がハットジョイナーと目地カバーとからなっていて、前記ハットジョイナーは、建物躯体側への固定面となる基板と、該基板から表面側に突出していて施工時には上下の外壁板の端部の間に挟まれる凸部とからなり、前記目地カバーが、前記目地溝部および下縁部を少なくとも備えており、前記目地溝部は、前記目地材および上下の外壁板を留め付けた状態において、前記ハットジョイナー凸部の頂面および下側の外壁板の上端面を少なくとも覆うことのできる形状とされている。本態様による目地材は、ハットジョイナーによって、上下の外壁板の間に容易に所望の間隔を空けることができ、目地幅を常に一定に保つことができる。また、ハットジョイナーおよび目地カバーはいずれも単純な形状とすることができ、製造が容易である。
【００１５】
好ましくは、前記目地カバーの目地溝部は、前記目地材および上下の外壁板を留め付けた状態において、前記目地溝部の一部が前記ハットジョイナー凸部の頂面に衝接するような寸法とされる。そうすることにより、できるだけ深い目地溝を形成することができ、また、目地溝部とハットジョイナー凸部の間から雨水が浸入するのを防ぐことができる。
【００１６】
好ましい態様において、前記目地カバーの目地溝部は、前記目地材および上下の外壁板を留め付けた状態において、上側の外壁板の下端面をも覆うことのできる形状とされており、前記目地カバーがさらに、前記目地溝部の上端から上方に延びていて施工時には上側の外壁板の表面に衝接される上縁部を備え、該上縁部の裏面に弾性止水材が貼着されている。本態様においては、上下外壁板の接合部全体を目地カバーで覆うことができ、外壁板の端面が表に露出せず好ましい外観となる。なお、本態様による目地材を用いた外壁施工構造においては、下縁部に加え、目地カバーの上縁部も外壁板の前面に露出することになるが、この上縁部は、図８ｂに示した前面板６３とは異なり、外壁板端部を保持する役割を果たすものではないので、小さな幅とすることができ、目立たない。
【００１７】
他の好ましい態様において、前記目地カバーの目地溝部は、前記目地材および上下の外壁板を留め付けた状態において、前記ハットジョイナー凸部の頂面および下側の外壁板の上端面のみを覆う形状とされており、前記目地カバーがさらに、前記目地溝部の上端から裏面側に延びる突出部であって、施工時には前記ハットジョイナー凸部の上側の側面に重ねられる突出部を備える。外壁板を留め付けた際、目地材の上方には、場所によって、垂直方向に走る縦目地が存在することになり、この縦目地を伝って雨水が目地材にまで流下してくる場合があるが、本態様の目地カバーであれば、上記縦目地が深い溝とされている場合であっても、流下してきた雨水は目地カバー表面を伝ってさらに流下する。すなわち、目地材付近に雨水が滞留することはなく、防水性に優れる。
【００１８】
好ましくは、前記ハットジョイナーおよび目地カバーはそれぞれ一枚の鋼板の板金加工により形成すれば、製造が容易である。
【００１９】
本発明のさらに他の好ましい態様において、前記目地溝部の一部が建物躯体側への固定面となっている。本態様の目地材は単一の部材からなっていて、形状も単純であり、より低いコストで製造することが可能である。より好ましくは、前記目地材を一枚の鋼板の板金加工により形成すれば、製造が容易である。
【発明の効果】
【００２０】
上記のように、本発明による目地材は、製造コストの低い目地材でありながら、施工が容易で、しかも意匠性、止水性の高い目地部を形成することができる。
【発明を実施するための最良の形態】
【００２１】
以下、図面を参照しながら、本発明の好ましい実施の形態を説明する。図１は、本発明の一態様による目地材を示す斜視図であり、図２ａは図１に示す目地材を用いた施工構造を示す斜視図、図２ｂは図２ａのｂ−ｂ線による断面図である。
【００２２】
図２に示す外壁施工構造では、外壁板３０Ａ，３０Ｂが、表面側から釘９５を打ち込むことによって横胴縁９１に留め付けられており、上下の外壁板３０Ａ，３０Ｂの間に目地材１が固定されている。目地材１は図１に示す２つの部材、すなわちハットジョイナー１０および目地カバー２０からなり、これらはいずれも一枚の鋼板の板金加工により形成される。
【００２３】
まず、ハットジョイナー１０は、横胴縁９１への固定面となる基板１１と、基板１１の上下方向の中央付近を表面側に折り曲げることによって形成された凸部１２とからなる。凸部１２は、上下の側面１２ａ，１２ｂと、該上下の側面１２ａ，１２ｂ同士を連結する頂面１２ｃとからなり、上下の側面１２ａ，１２ｂは、上下に隣接する外壁板３０Ａ，３０Ｂの端部の間に空けられるべき間隔に相当する距離だけ離間されている。また、強度を高めるため、基板１１の上下の側端部１１ａ，１１ｂは表面側に折り返されている。
【００２４】
次に、目地カバー２０は、垂直板２１ａと、その上下の端部から表面側に延びる上板２１ｃおよび下板２１ｂとで構成される目地溝部２１を備える。上板２１ｃと下板２１ｂとは、施工時に上下の外壁板３０Ａ，３０Ｂの間に挿入しやすいように、かつ、目地幅をやや小さくすることで自然な目地外観が得られるように、ハットジョイナー凸部１２の上下の側面１２ａ、１２ｂ同士の間隔に比べて、やや小さい幅で離間している。目地カバー２０はさらに、目地溝部２１の上端および下端からそれぞれ上方および下方に延びる上縁部２５および下縁部２３も備える。上縁部２５と下縁部２３とは同一平面上に位置しており、それぞれの側端部２５ａ，２３ａは強度を高めるために裏面側に折り返されている。また、これら上縁部２５および下縁部２３の裏面には、ほぼ全面に渡って、ＥＰＤＭゴム発泡体からなる板状の弾性止水材２６が貼着されている。
【００２５】
目地カバー２０の製造にあたっては、材料となる鋼板を、断面がコの字状になるように折り曲げることによって目地溝部２１を形成し、その上板２１ｃおよび下板２１ｂの先端をそれぞれ上方および下方に折り曲げることによって、上縁部２５および下縁部２３を形成する。そして、目地カバー２０の表面全体を所望の目地色に塗装する。
【００２６】
次に、上記のような目地材１を用いた外壁施工方法について説明する。まず、下側の外壁板３０Ｂの上端面を、ハットジョイナー凸部１２の下側面１２ｂに衝接させるようにして、ハットジョイナー１０下部の基板１１の上から外壁板３０Ｂを重ねる。その状態で外壁板３０Ｂの表面側から釘９５を打ち込み、横胴縁９１に固定する。次に、上側の外壁板３０Ａの下端面を、ハットジョイナー凸部１２の上側面１２ａに衝接させるようにして、ハットジョイナー１０上部の基板１１の上から外壁板３０Ａを重ね、その状態で外壁板３０Ａの表面側から釘９５を打ち込み、横胴縁９１に固定する。ハットジョイナー凸部１２の高さは外壁板３０Ａ，３０Ｂの厚みよりも小さいため、この状態において、外壁板３０Ａ，３０Ｂの表面はハットジョイナー凸部１２の頂面１２ｃよりも前面に突出している。最後に、目地カバー２０の目地溝部２１の垂直板２１ａを凸部１２の頂面１２ｃに衝接させるとともに、上縁部２５および下縁部２３の裏面を、それぞれ上下外壁板３０Ａ，３０Ｂ表面に衝接させ、その状態で垂直板２１ａにビス９６をねじ込んで目地カバー２０を横胴縁９１に固定する。このようにして形成された外壁施工構造においては、図２ａに示すように、上下外壁板３０Ａ，３０Ｂの上下接合部全体が目地カバー２０で覆われ、外壁板３０Ａ，３０Ｂの端面が表に露出せず好ましい外観となる。
【００２７】
図３は、本発明の他の態様による目地材を示す斜視図であり、図４ａは図３に示す目地材を用いた施工構造を示す斜視図、図４ｂは図４ａのｂ−ｂ線による断面図である。本態様による目地材１Ａにおいても、ハットジョイナー１０は図１に示したものと同じものを用いているが、目地カバー２０Ａは図１のものとは異なっている。すなわち、本態様による目地カバー２０Ａは、図１に示した上板２１ｃや上縁部２５を備えてはおらず、代わりに、目地溝部２１の垂直板２１ａの上端から裏面側に延びる突出部２７を備えている。この目地カバー２０Ａも一枚の鋼板の板金加工によって形成されており、突出部２７は、垂直板２１ａの上端を裏面側に垂直に折り曲げることによって形成される。また、本態様においても、下縁部２３の裏面には、ほぼ全面に渡って弾性止水材２６が貼着されている。
【００２８】
上記目地材１Ａを用いた外壁施工方法について説明する。まず、図２に示した施工構造の場合と同様に、下側の外壁板３０Ｂの上端面を、ハットジョイナー凸部１２の下側面１２ｂに衝接させるようにして、ハットジョイナー１０下部の基板１１の上から外壁板３０Ｂを重ね、その状態で外壁板３０Ｂの表面側から釘９５を打ち込み、横胴縁９１に固定する。次に、本態様においては、上側の外壁板３０Ａより先に目地カバー２０を取り付ける。すなわち、目地カバー２０Ａの突出部２７および垂直板２１ａの裏面をそれぞれハットジョイナー凸部１２の上側面１２ａおよび頂面１２ｃに衝接させるとともに、下縁部２３の裏面を外壁板３０Ｂ表面に衝接させる。その状態で垂直板２１ａにビス９６をねじ込んで目地カバー２０Ａを横胴縁９１に固定する。続いて、上側の外壁板３０Ａの下端面を、目地カバー２０の突出部２７に衝接させるようにして、ハットジョイナー１０上部の基板１１の上から外壁板３０Ａを重ね、その状態で外壁板３０Ａの表面側から釘９５を打ち込み、横胴縁９１に固定する。このようにして形成された外壁施工構造においては、図４ａに示すように、目地材１Ａの上方に縦目地９２が存在する場合であっても、縦目地９２を流下してきた雨水は目地カバー２０Ａ表面を伝ってさらに流下するので、目地材１Ａ付近に雨水が滞留することはない。
【００２９】
図５は、本発明のさらに他の態様による目地材を示す斜視図である。本態様による目地材１Ｂでは、目地カバー２０Ｂが、垂直板２１ａおよび下板２１ｂだけからなる目地溝部２１と、下縁部２３とで構成される単純な形状とされており、製造が容易である。また、本態様においても、下縁部２３の裏面には、ほぼ全面に渡って弾性止水材２６が貼着されている。施工にあたっては、目地カバー２０Ｂまたは上側の外壁板のいずれを先に留め付けてもよく、施工の自由度が大きい。
【００３０】
図６ａは、本発明のさらに他の態様による目地材を示す斜視図であり、図６ｂは、図６ａに示す目地材を用いた施工構造を示す斜視図である。先に説明した目地材１，１Ａ，１Ｂは、ハットジョイナーおよび目地カバーという２つの部材からなるものであったが、本態様による目地材１Ｃは単一の部材からなっており、より低いコストで製造することが可能である。図６ａに示すように、目地材１Ｃは一枚の鋼板の板金加工によって形成されており、横胴縁９１への固定面となる基板１１と、その下方に位置する目地溝部２１と、目地溝部２１の下端から下方に延びる下縁部２３とからなる。目地溝部２１は、基板１１の下方に連設された垂直板２１ａと、垂直板２１ａの下端を表面側に折り曲げることによって形成された下板２１ｂとからなっており、基板１１と垂直板２１ａとは連続した一枚の平板として形成されている。また、下板２１ｂの先端を下方に折り曲げることによって下縁部２３が形成されており、下縁部２３の裏面には、ほぼ全面に渡って弾性止水材２６が貼着されている。基板１１および下縁部２３の側端部１１ａ，２３ａは、それぞれ強度を高めるために折り返されている。
【００３１】
施工にあたっては、まず、下側の外壁板３０Ｂを、釘９５を用いて横胴縁９１に留め付ける。次に、目地材１Ｃの下縁部２３の裏面を、外壁板３０Ｂ表面に衝接させ、垂直板２１ａにビス９６をねじ込んで横胴縁９１に固定する。最後に、上側の外壁板３０Ａを、下側の外壁板３０Ｂとの間に所定の間隔を空けるように位置決めした状態で、目地材１Ｃの基板１１の上から重ね、釘９５を用いて横胴縁９１に留め付ける。なお、目地材１Ｃの横胴縁９１への固定は、基板１１に釘を打ち込むことによって行うことも可能であるが、図６ｂに示したように、下縁部２３により近い垂直板２１ａの位置でビス９６をねじ込むことにより、下縁部２３裏面の弾性止水材２６が外壁板３０Ｂに対して十分に押圧され、密着度が高まる。
【００３２】
以上、本発明による目地材の様々な実施態様について説明したが、本発明の目地材は、上記の他にも様々な形態とすることができる。例えば、図７に示した従来のハットジョイナー４０と同様に、ハットジョイナー凸部の頂面を曲面としてもよい。また、目地溝部の上板および下板を傾斜面としたり、あるいは、目地溝部全体を連続した曲面で構成してもよい。さらに、ハットジョイナー凸部の頂面や目地溝部の垂直板に、予めビス用の孔を形成しておいてもよい。
【図面の簡単な説明】
【００３３】
【図１】本発明の一態様による目地材を示す斜視図。
【図２】図２ａは、図１に示す目地材を用いた施工構造を示す斜視図であり、図２ｂは、図２ａのｂ−ｂ線による断面図。
【図３】本発明の他の態様による目地材を示す斜視図。
【図４】図４ａは、図３に示す目地材を用いた施工構造を示す斜視図であり、図４ｂは、図４ａのｂ−ｂ線による断面図。
【図５】本発明のさらに他の態様による目地材を示す斜視図。
【図６】図６ａは、本発明のさらに他の態様による目地材を示す斜視図であり、図６ｂは、図６ａに示す目地材を用いた施工構造を示す斜視図。
【図７】従来の上下接合部施工構造の一例を示す斜視図。
【図８】従来の上下接合部施工構造の他の例を示す斜視図。
【符号の説明】
【００３４】
１…目地材，１０…ハットジョイナー，１１…基板，１２…凸部，２０…目地カバー，２１…目地溝部，２３…下縁部，２６…弾性止水材，３０Ａ…外壁板，３０Ｂ…外壁板
【図１】
2006125091.tif 000003
【図２】
2006125091.tif 000004
【図３】
2006125091.tif 000005
【図４】
2006125091.tif 000006
【図５】
2006125091.tif 000007
【図６】
2006125091.tif 000008
【図７】
2006125091.tif 000009
【図８】
2006125091.tif 000010